(57)【要約】【課題】  本発明の目的は、撮影レンズのズーム位置および被写界を照明する光源の種類に依らず高精度にホワイトバランス制御を行うことのできるホワイトバランス制御装置および撮像装置を提供することである。【解決手段】  本発明のホワイトバランス制御装置（１１〜２３）は、撮影レンズ（１１）を介して撮影されるカラー画像のホワイトバランス制御値を算出する算出手段（１９）と、算出手段（１９）が算出したホワイトバランス制御値を撮影レンズ（１１）のズーム位置に応じて補正する補正手段（１９）とを備えたホワイトバランス制御装置において、補正手段（１９）が、被写界を照明する光源の種類に応じて補正の補正量を変更する。また、本発明のホワイトバランス制御装置（１１〜２３）は、撮影レンズ（１１）を介して撮影されるカラー画像に基づき、被写界を照明する光源の種類を判定する判定手段（１９）を備え、この判定手段（１９）が、撮影レンズ（１１）のズーム位置に応じて判定の基準を変化させる。【選択図】  図１
2008258902.tif 000002
【特許請求の範囲】
【請求項１】
撮影レンズを介して撮影されるカラー画像のホワイトバランス制御値を算出する算出手段と、
前記算出手段が算出した前記ホワイトバランス制御値を、前記撮影レンズのズーム位置に応じて補正する補正手段と
を備えたホワイトバランス制御装置において、
前記補正手段は、前記補正の補正量を、被写界を照明する光源の種類に応じて変更する
ことを特徴とするホワイトバランス制御装置。
【請求項２】
請求項１に記載のホワイトバランス制御装置において、
前記算出手段は、ユーザーから指定された光源情報に基づき前記ホワイトバランス制御値を算出し、
前記補正手段は、前記光源情報を基に前記光源の種類を判定する
ことを特徴とするホワイトバランス制御装置。
【請求項３】
請求項１に記載のホワイトバランス制御装置において、
前記算出手段は、ユーザーから予め与えられた基準画像を無彩色にするための制御値を前記ホワイトバランス制御値として算出し、
前記補正手段は、前記算出手段が算出した前記ホワイトバランス制御値を基に前記光源の種類を判定する
ことを特徴とするホワイトバランス制御装置。
【請求項４】
請求項１に記載のホワイトバランス制御装置において、
前記算出手段には、前記撮影レンズを介して連続的に撮影されるカラー画像の前記ホワイトバランス制御値を前記カラー画像に基づく光源判定を行いながらリアルタイムに算出する期間と、ユーザーからの指定に従い前記算出を休止させ、前記指定の直前に前記算出した値を前記ホワイトバランス制御値として保持する期間とがあり、
前記補正手段は、前記算出手段が前記ホワイトバランス制御値を算出する期間には前記補正を休止し、前記算出手段が前記ホワイトバランス制御値を保持する期間中には前記補正を行う
ことを特徴とするホワイトバランス制御装置。
【請求項５】
請求項４に記載のホワイトバランス制御装置において、
前記補正手段は、前記算出手段が前記ホワイトバランス制御値を保持する期間の開始直前に行った前記光源判定の結果に基づき前記補正を行う
ことを特徴とするホワイトバランス制御装置。
【請求項６】
請求項１〜請求項５の何れか一項に記載のホワイトバランス制御装置において、
前記補正手段は、前記撮影レンズのズーム位置毎、かつ前記光源の種類毎に前記補正量を格納したテーブルを使用する
ことを特徴とするホワイトバランス制御装置。
【請求項７】
撮影レンズを介して撮影されるカラー画像に基づき、被写界を照明する光源の種類を判定する判定手段を備え、
前記判定手段は、前記撮影レンズのズーム位置に応じて前記判定の基準を変化させる
ことを特徴とするホワイトバランス制御装置。
【請求項８】
請求項７に記載のホワイトバランス制御装置において、
前記判定手段は、前記判定の基準として、色空間における複数の光源色領域の境界線を使用すると共に、前記色空間における前記複数の光源色領域の位置を前記撮影レンズのズーム位置に応じて移動させる
ことを特徴とするホワイトバランス制御装置。
【請求項９】
請求項８に記載のホワイトバランス制御装置において、
前記判定手段は、前記複数の光源色領域の位置を一様に移動させる
ことを特徴とするホワイトバランス制御装置。
【請求項１０】
請求項９に記載のホワイトバランス制御装置において、
前記判定手段は、前記撮影レンズのズーム位置毎に前記移動量を格納したテーブルを使用する
ことを特徴とするホワイトバランス制御装置。
【請求項１１】
請求項８に記載のホワイトバランス制御装置において、
前記判定手段は、前記複数の光源色領域の位置を個別に移動させる
ことを特徴とするホワイトバランス制御装置。
【請求項１２】
請求項１１に記載のホワイトバランス制御装置において、
前記判定手段は、前記撮影レンズのズーム位置毎、かつ前記光源の種類毎に前記移動量を格納したテーブルを使用する
ことを特徴とするホワイトバランス制御装置。
【請求項１３】
前記撮影レンズを介して前記カラー画像を撮像する撮像手段と、
請求項１〜請求項１２の何れか一項に記載のホワイトバランス制御装置と
を備えることを特徴とする撮像装置。
【発明の詳細な説明】
【技術分野】
【０００１】
本発明は、電子カメラなどに用いられるホワイトバランス制御装置および撮像装置に関する。
【背景技術】
【０００２】
撮影レンズを通過した光をＣＣＤ等の撮像素子に導き光電変換して撮影を行う電子カメラでは、撮影レンズの焦点距離（ズーム位置）が変化すると、撮像素子上のマイクロレンズへの光の入射角が変わり受光成分（ＲＧＢ）のバランスも変化することから、ホワイトバランスの制御不良が生じやすい。このような撮影レンズのズーム位置の変化による制御不良の発生を抑制するための従来技術の一例として、例えば、特許文献１では、ズーム位置に対応した係数を用いてホワイトバランス制御値を補正する技術を開示している。
【特許文献１】特開２００５−２４４９４５号公報
【発明の開示】
【発明が解決しようとする課題】
【０００３】
しかしながら、従来技術では、被写界を照明する光源の種類によっては、前述したホワイトバランス制御不良の発生を抑制することができなかった。また、制御不良の発生を抑制するためには被写界を照明する光源の種類が何であるかを正しく判定する必要があるが、従来技術では、その判定時に撮影レンズのズーム位置を考慮していないため正しい判定が行えなかった。
【０００４】
本発明は、上記従来技術の課題を解決するためのものである。本発明の目的は、撮影レンズのズーム位置および被写界を照明する光源の種類に依らず高精度にホワイトバランス制御を行うことのできるホワイトバランス制御装置および撮像装置を提供することである。
【課題を解決するための手段】
【０００５】
第１の発明のホワイトバランス制御装置は、撮影レンズを介して撮影されるカラー画像のホワイトバランス制御値を算出する算出手段と、算出手段が算出したホワイトバランス制御値を撮影レンズのズーム位置に応じて補正する補正手段とを備えたホワイトバランス制御装置において、補正手段が、被写界を照明する光源の種類に応じて補正の補正量を変更する。
【０００６】
第２の発明は、第１の発明において、算出手段が、ユーザーから指定された光源情報に基づきホワイトバランス制御値を算出し、補正手段が、光源情報を基に光源の種類を判定する。
【０００７】
第３の発明は、第１の発明において、算出手段が、ユーザーから予め与えられた基準画像を無彩色にするための制御値をホワイトバランス制御値として算出し、補正手段が、算出手段の算出したホワイトバランス制御値を基に光源の種類を判定する。
【０００８】
第４の発明は、第１の発明において、算出手段には、撮影レンズを介して連続的に撮影されるカラー画像のホワイトバランス制御値をカラー画像に基づく光源判定を行いながらリアルタイムに算出する期間と、ユーザーからの指定に従い算出を休止させると共に、ユーザーからの指定の直前に算出した値をホワイトバランス制御値として保持する期間とがある。そして、補正手段が、算出手段がホワイトバランス制御値を算出する期間には補正を休止し、算出手段がホワイトバランス制御値を保持する期間中には補正を行う。
【０００９】
第５の発明は、第４の発明において、補正手段が、算出手段がホワイトバランス制御値を保持する期間の開始直前に行った光源判定の結果に基づき補正を行う。
【００１０】
第６の発明は、第１〜第５の発明の何れか一の発明において、補正手段が、撮影レンズのズーム位置毎、かつ光源の種類毎に補正量を格納したテーブルを使用する。
【００１１】
第７の発明のホワイトバランス制御装置は、撮影レンズを介して撮影されるカラー画像に基づき、被写界を照明する光源の種類を判定する判定手段を備え、この判定手段が、撮影レンズのズーム位置に応じて判定の基準を変化させる。
【００１２】
第８の発明は、第７の発明において、判定手段が、色空間における複数の光源色領域の境界線を判定の基準として使用すると共に、色空間における複数の光源色領域の位置を撮影レンズのズーム位置に応じて移動させる。
【００１３】
第９の発明は、第８の発明において、判定手段が、複数の光源色領域の位置を一様に移動させる。
【００１４】
第１０の発明は、第９の発明において、判定手段が、撮影レンズのズーム位置毎に移動量を格納したテーブルを使用する。
【００１５】
第１１の発明は、第８の発明において、判定手段が、複数の光源色領域の位置を個別に移動させる。
【００１６】
第１２の発明は、第１１の発明において、判定手段が、撮影レンズのズーム位置毎、かつ光源の種類毎に移動量を格納したテーブルを使用する。
【００１７】
第１３の発明の撮像装置は、撮影レンズを介してカラー画像を撮像する撮像手段と、第１〜第１２の発明の何れか一の発明のホワイトバランス制御装置とを備える。
【発明の効果】
【００１８】
本発明では、ホワイトバランスの制御値を撮影レンズのズーム位置に応じて補正する時に、その補正の補正量が被写界を照明する光源の種類に応じて変更される。また、本発明では、被写界を照明する光源の種類を判定するための基準が撮影レンズのズーム位置に応じて変化させられる。従って、本発明を利用すれば、撮影レンズのズーム位置および被写界を照明する光源の種類に依らない高精度なホワイトバランス制御が可能になる。
【発明を実施するための最良の形態】
【００１９】
（第１実施形態の説明）
以下、第１実施形態の電子カメラの構成を説明する。
【００２０】
図１は、第１実施形態の電子カメラのブロック図である。図１に示すとおり、電子カメラは、撮影レンズ１１およびレンズ駆動部１２と、撮像素子１３と、アナログ信号処理部１４と、タイミングジェネレータ（ＴＧ）１５と、バッファメモリ１６と、画像処理部１７と、モニタ１８と、制御部１９と、操作部２０と、ＲＯＭ２１と、記録媒体２２と、バス２３とを有している。ここで、バッファメモリ１６、画像処理部１７、モニタ１８、制御部１９、ＲＯＭ２１、記録媒体２２は、バス２３を介して接続されている。また、レンズ駆動部１２、アナログ信号処理部１４、ＴＧ１５、操作部２０は、それぞれ制御部１９に接続されている。
【００２１】
撮影レンズ１１は、フォーカスレンズやズームレンズを含む複数のレンズ群で構成されている。なお、簡単のため、図１では撮影レンズ１１を１枚のレンズとして図示している。
【００２２】
レンズ駆動部１２は、制御部１９の指示に応じてレンズ駆動信号を発生し、撮影レンズ１１を光軸方向に移動させてフォーカス調整やズーム調整を行うと共に、撮影レンズ１１を通過した光束による被写体像を撮像素子１３の受光面に形成する。
【００２３】
撮像素子１３は、ＣＣＤ型やＣＭＯＳ型の撮像素子であり、撮影レンズ１１の像空間側に配置されている。撮像素子１３は、受光面に形成された被写体像を光電変換してアナログ画像信号を生成する。この撮像素子１３の出力はアナログ信号処理部１４に接続されている。
【００２４】
アナログ信号処理部１４は、制御部１９の指示に応じて、撮像素子１３から出力されたアナログ画像信号に対し、ＣＤＳ（相関二重サンプリング）、ゲイン調整、Ａ／Ｄ変換などのアナログ信号処理を施すと共に、処理後の画像信号を出力する。また、アナログ信号処理部１４は、制御部１９の指示に基づいてゲイン調整の調整量を設定し、それによってＩＳＯ感度に相当する撮像感度の調整を行う。なお、アナログ信号処理部１４の出力はバッファメモリ１６に接続されている。
【００２５】
ＴＧ１５は、制御部１９の指示に基づき撮像素子１３およびアナログ信号処理部１４に対してタイミングパルスを供給する。撮像素子１３およびアナログ信号処理部１４の駆動タイミングはそのタイミングパルスによって制御される。
【００２６】
バッファメモリ１６は、撮影時および撮影モード設定時にアナログ信号処理部１４から出力される画像信号を画像データとして一時的に記憶する。また、バッファメモリ１６は、制御部１９による処理の過程で作成された画像データを一時的に記憶する。
【００２７】
画像処理部１７は、制御部１９の指示に応じて、バッファメモリ１６の画像データに対し、ホワイトバランス調整、色分離（補間）、輪郭強調、ガンマ補正などの画像処理を施す。ここで、ホワイトバランス（ＷＢ）調整は、画像処理部１７が、制御部１９が算出したＷＢ制御値（ＷＢゲイン：ｇr、ｇb）を画像データのＲ成分およびＢ成分へ乗算することによって行う。なお、画像処理部１７は、ＡＳＩＣなどとして構成される。また、制御部１９によるＷＢゲインの算出の詳細は後述する。
【００２８】
モニタ１８は、電子カメラ筐体の背面などに設けられたＬＣＤモニタや、接眼部を備えた電子ファインダなどであり、制御部１９の指示に応じて各種の画像を表示する。
【００２９】
操作部２０は、モード設定釦、ズーム操作釦、レリーズ釦などの操作部材を含み、ユーザーによる部材操作の内容に応じた操作信号を制御部１９に送る。
【００３０】
ＲＯＭ２１は、制御部１９が実行するＷＢ制御値の算出プログラムなどの各種のプログラム及びそれらの実行に必要なＷＢ補正情報テーブルや光源色領域位置移動情報テーブルなどの各種のデータなどを記憶する。ＷＢ補正情報テーブルは、図３に示すとおりＷＢ制御値の補正量を格納するものであり、これは光源の種類毎に用意される。光源色領域位置移動情報テーブルは、図７(a)に示すとおり被写界を照明する光源の種類を判定するための基準となる光源色領域の位置の移動量を格納するものである。
【００３１】
記録媒体２２には、ＪＰＥＧ（Joint Photographic Experts Group）形式などによる圧縮処理後の画像データが制御部１９によって記録される。なお、記録媒体２２は、半導体メモリを内蔵したメモリカードや、小型のハードディスクなどである。
【００３２】
制御部１９は、操作部２０から送られた操作信号に応じて電子カメラの各部を統括制御する。例えば、電子カメラが撮影モードに設定されると、制御部１９は、レンズ駆動部１２およびＴＧ１５を駆動させてスルー画像の撮影を開始する。このとき、撮像素子１３はドラフトモードで駆動され、スルー画像の画像データがアナログ信号処理部１４を介してバッファメモリ１６へ順次記録される。また、この撮影モードで動作中にレリーズ釦が全押しされると、制御部１９は、測光等により決定した撮影条件の下でレンズ駆動部１２およびＴＧ１５を駆動させて撮影を行う。このとき、撮像素子１３はフレームモードで駆動され、詳細画像の画像データがアナログ信号処理部１４を介してバッファメモリ１６へ記録される。
【００３３】
次に、上記のとおりバッファメモリ１６に記録されたスルー画像または詳細画像の画像データに対し、制御部１９は、画像処理部１７を駆動させて画像処理を施す。ここで、電子カメラのホワイトバランス（ＷＢ）モードが「プリセットＷＢモード」に設定された場合には、画像処理部１７でのＷＢ調整は、あらかじめユーザーにより与えられた詳細画像（白基準となる被写体を撮影したもの。以下、「基準画像」という。）の画像データを基に制御部１９が算出したＷＢ制御値によって行われる。また、ＷＢモードが「マニュアルＷＢモード」に設定された場合には、画像処理部１７でのＷＢ調整は、ユーザーが設定したそのマニュアルＷＢモードの種類（例えば、「晴天」、「曇天」、「蛍光灯」、「電球」など）に基づき制御部１９が算出したＷＢ制御値によって行われる。そして、ＷＢモードが「オートＷＢモード」に設定された場合には、画像処理部１７でのＷＢ調整は、バッファメモリ１６に連続的に記録されるスルー画像または詳細画像の各画像データに基づき制御部１９がリアルタイムに算出したＷＢ制御値によって行われる。
【００３４】
その後、制御部１９は、画像処理後の画像をモニタ１８に表示させると共に、圧縮／復号部（不図示）を駆動させて画像処理後の画像に圧縮処理を施し、その圧縮処理を施した画像を記録媒体２２に記録する。
【００３５】
以下、第１実施形態の電子カメラにおけるホワイトバランス（ＷＢ）制御値の算出の動作を、図２の流れ図および図３を参照して説明する。図２のフローは、電子カメラが、撮影モード、かつＷＢモードの「プリセットＷＢモード」または「マニュアルＷＢモード」で動作している場合に実行されるものである。
【００３６】
ステップＳ１０１：制御部１９は、現在のＷＢモードが「プリセットＷＢモード」である場合には、あらかじめユーザーにより与えられた基準画像を基にＷＢ制御値を算出する。具体的には、その画像の平均色を無彩色とするためのＷＢ制御値を算出する。一方、ＷＢモードが「マニュアルＷＢモード」である場合には、制御部１９は、ユーザーの設定したマニュアルＷＢモードの種類（例えば、「晴天」、「曇天」、「蛍光灯」、「電球」など）を判別し、その種類に基づきＷＢ制御値を算出する。尚、ここでは、ＷＢ制御値には、両モードともにＷＢゲイン「ｇri、ｇbi」が算出されたものとする。
【００３７】
ステップＳ１０２：制御部１９は、現在のＷＢモードが「プリセットＷＢモード」である場合には、上記ステップＳ１０１で算出したＷＢ制御値に基づき光源の種類を判定する。一方、ＷＢモードが「マニュアルＷＢモード」である場合には、制御部１９は、上記ステップＳ１０１で判別したマニュアルＷＢモードの種類に基づき光源の種類を判定する。尚、ここでは、判定された光源の種類は、両モードともに「蛍光灯」であるものとする。
【００３８】
ステップＳ１０３：制御部１９は、レンズ駆動部１２などから、撮影レンズ１１のズーム位置情報を取得する（ズーム位置情報として「Ｚ8」が取得されたものとする）。
【００３９】
ステップＳ１０４：制御部１９は、ＲＯＭ２１に予め格納されるＷＢ補正情報テーブル（図３）のうちから上記ステップＳ１０２で判定した光源の種類「蛍光灯」に対応するテーブル「蛍光灯用ＷＢ補正情報テーブル」を選択する。
【００４０】
ステップＳ１０５：制御部１９は、上記ステップＳ１０４で選択した「蛍光灯用ＷＢ補正情報テーブル」を参照し、上記ステップＳ１０３で取得したズーム位置情報「Ｚ8」に対応するＷＢ補正量「Δｇr8m、Δｇb8m」を取得する。
【００４１】
ステップＳ１０６：制御部１９は、上記ステップＳ１０１で算出したＷＢ制御値「ｇri、ｇbi」と上記ステップＳ１０５で取得したＷＢ補正量「Δｇr8m、Δｇb8m」を加算して画像処理部１７でのＷＢ調整に用いるＷＢ制御値「ｇri＋Δｇr8m、ｇbi＋Δｇb8m」を算出する。
【００４２】
以上、第１実施形態の電子カメラにおけるＷＢ制御値の算出の動作を説明した。
【００４３】
なお、「マニュアルＷＢモード」の場合には、ＲＯＭ２１のＷＢ補正情報テーブルに、ＷＢ補正量ではなくＷＢ制御値（ＷＢゲイン）を直接格納し、上記ステップＳ１０１及びステップＳ１０６の処理は行わずに、かつ上記ステップＳ１０５の処理でＷＢ補正情報テーブルから画像処理部１７でのＷＢ調整に用いるＷＢ制御値を取得するようにしてもよい。
【００４４】
また、ＲＯＭ２１のＷＢ補正情報テーブルは、「プリセットＷＢモード」と「マニュアルＷＢモード」で、双方に共通のテーブルを設けてもよく、またそれぞれに専用のテーブルを設けてもよい。
【００４５】
以下、第１実施形態の効果を説明する。
【００４６】
第１実施形態の電子カメラによれば、電子カメラのＷＢモードが「プリセットＷＢモード」または「マニュアルＷＢモード」である場合に、ＷＢモードに応じて一旦算出されたＷＢ制御値が、撮影レンズのズーム位置毎、かつ被写界を照明する光源の種類毎のＷＢ補正量を用いて補正される。このため、撮影レンズのズーム位置と光源の種類によって撮像素子の受光成分（ＲＧＢ）のバランスが変化しても高精度にホワイトバランス制御が行える。従って、撮影レンズのズーム位置および被写界を照明する光源の種類に依らない高精度なホワイトバランス制御が可能となる。
【００４７】
（第２実施形態の説明）
次に、第２実施形態について説明する。第２実施形態の電子カメラのブロック図は第１実施形態のブロック図（図１）と同一であるため、ここでは同じ符号を付与して示すこととして説明を省略する。
【００４８】
以下、第２実施形態の電子カメラにおけるホワイトバランス（ＷＢ）制御値の算出の動作を、図４の流れ図および図５を参照して説明する。図４のフローは、電子カメラが、撮影モード、かつＷＢモードの「オートＷＢモード」で動作中に、ユーザーがＷＢモードを「オートＷＢロックモード」に設定した場合に実行されるものである。尚、「オートＷＢロックモード」は、オートＷＢによる光源判定およびＷＢ制御値算出を休止させ、かつ本モードの直前のオートＷＢにより算出したＷＢ制御値を保持すると共に、このＷＢ制御値を、撮影レンズのズーム位置とそのＷＢ制御値の算出時に判定した光源の種類とに基づき補正して、画像処理部１７でのＷＢ調整に用いるＷＢ制御値を算出するモードである。
【００４９】
ステップＳ２０１：制御部１９は、本モードの直前のオートＷＢにより算出されたＷＢ制御値を取得すると共に、バッファメモリ１６などに記録して、その保持を開始する。尚、ここでは、ＷＢ制御値としてＷＢゲイン「ｇri、ｇbi」が保持されているものとする。
【００５０】
ステップＳ２０２：制御部１９は、レンズ駆動部１２などから、撮影レンズ１１のズーム位置情報を初期ズーム位置情報として取得する（初期ズーム位置情報として「Ｚ4」が取得されたものとする）。
【００５１】
ステップＳ２０３：制御部１９は、ユーザーにより「オートＷＢロックモード」の解除操作が行われたか否かを判定する。操作が行われた場合（Ｙｅｓ側）には、制御部１９はステップＳ２０４に移行し、一方、操作が行われていない場合（Ｎｏ側）には、制御部１９はステップＳ２０５に移行する。
【００５２】
ステップＳ２０４：制御部１９は、上記ステップＳ２０１でバッファメモリ１６などに記録したＷＢ制御値「ｇri、ｇbi」を削除してその保持を終了すると共に、本モードを終了する。
【００５３】
ステップＳ２０５：制御部１９は、ユーザーによって撮影レンズ１１のズーム操作が行われたか否かを判定する。操作が行われた場合（Ｙｅｓ側）には、制御部１９は画像処理部１７でのＷＢ調整に用いるＷＢ制御値を算出するためにステップＳ２０６に移行し、一方、操作が行われていない場合（Ｎｏ側）には、制御部１９はＷＢ制御値を算出することなくステップＳ２０３に移行する。
【００５４】
ステップＳ２０６：制御部１９は、レンズ駆動部１２などから、撮影レンズ１１のズーム位置情報をＡＷＢロック後ズーム位置情報として取得する（ＡＷＢロック後ズーム位置情報として「Ｚ7」が取得されたものとする）。
【００５５】
ステップＳ２０７：制御部１９は、ＲＯＭ２１に予め格納されるＡＷＢ補正情報テーブル（図５）のうちから、本モードの直前のオートＷＢにより判定された光源の種類（「晴天」とする）に対応するテーブル「晴天用ＡＷＢ補正情報テーブル」を選択する。
【００５６】
ステップＳ２０８：制御部１９は、上記ステップＳ２０７で選択した「晴天用ＡＷＢ補正情報テーブル」を参照し、上記ステップＳ２０２で取得した初期ズーム位置情報「Ｚ4」に対応するＷＢ補正量１「Δｇr4n、Δｇb4n」および上記ステップＳ２０６で取得したＡＷＢロック後ズーム位置情報「Ｚ7」に対応するＷＢ補正量２「Δｇr7n、Δｇb7n」を取得する。次に、制御部１９は、取得したＷＢ補正量２からＷＢ補正量１を減算して、ＷＢ補正量「Δｇr7n−Δｇr4n、Δｇb7n−Δｇb4n」を取得する。
【００５７】
ステップＳ２０９：制御部１９は、保持中のＷＢ制御値「ｇri、ｇbi」と上記ステップＳ２０８で取得したＷＢ補正量「Δｇr7n−Δｇr4n、Δｇb7n−Δｇb4n」を加算して画像処理部１７でのＷＢ調整に用いるＷＢ制御値「ｇri＋(Δｇr7n−Δｇr4n)、ｇbi＋(Δｇb7n−Δｇb4n)」を算出する。
【００５８】
以上、第２実施形態の電子カメラにおけるＷＢ制御値の算出の動作を説明した。
【００５９】
以下、第２実施形態の効果を説明する。
【００６０】
第２実施形態の電子カメラによれば、電子カメラのＷＢモードが「オートＷＢモード」である場合に、オートＷＢによる光源判定およびＷＢ制御値算出が休止させられると共に、その休止直前のオートＷＢにより算出されたＷＢ制御値が、撮影レンズのズーム位置毎、かつ被写界を照明する光源の種類毎のＷＢ補正量を用いて補正される。このため、撮影レンズのズーム位置と光源の種類によって撮像素子の受光成分（ＲＧＢ）のバランスが変化しても高精度にホワイトバランス制御が行える。従って、撮影レンズのズーム位置および被写界を照明する光源の種類に依らない高精度なホワイトバランス制御が可能となる。
【００６１】
（第３実施形態の説明）
次に、第３実施形態について説明する。第３実施形態の電子カメラのブロック図は第１実施形態のブロック図（図１）と同一であるため、ここでは同じ符号を付与して示すこととして説明を省略する。
【００６２】
以下、第３実施形態の電子カメラにおけるホワイトバランス（ＷＢ）制御値の算出の動作を、図６の流れ図および図７を参照して説明する。図４のフローは、電子カメラが、撮影モード、かつＷＢモードの「オートＷＢモード」で動作している場合に実行されるものである。
【００６３】
ステップＳ３０１：制御部１９は、レンズ駆動部１２などから、撮影レンズ１１のズーム位置情報を取得する（ズーム位置情報として「Ｚ8」が取得されたものとする）。
【００６４】
ステップＳ３０２：制御部１９は、ＲＯＭ２１に予め格納される光源色領域位置移動情報テーブル（図７(a)）を参照して、上記ステップＳ３０１で取得したズーム位置情報「Ｚ8」に対応する移動量「Ｍ8i」を取得する。
【００６５】
ステップＳ３０３：制御部１９は、オートＷＢ光源判定基準テーブルの色空間における全ての光源色領域の位置を上記ステップＳ３０２で取得した１つの移動量「Ｍ8i」を用いて一様に移動させる（図７(b)）。
【００６６】
ステップＳ３０４：制御部１９は、上記ステップＳ３０３で位置を移動させたオートＷＢ光源判定基準テーブル基づいて、被写界を照明する光源の種類を判定する。
【００６７】
ステップＳ３０５：制御部１９は、上記ステップＳ３０４で判定した光源の種類に対応するＷＢ制御値をＲＯＭ２１などに予め格納される情報から取得して、この取得した値を算出値とする。
【００６８】
以上、第３実施形態の電子カメラにおけるＷＢ制御値の算出の動作を説明した。
【００６９】
なお、上記ステップＳ３０２及びステップＳ３０３では、光源色領域の位置の移動について、全ての光源色領域の位置を１つの移動量を用いて一様に移動させる例を説明したが、各光源色領域の位置をそれぞれに異なる移動量を用いて個別に移動させるようにしてもよい。またそうした場合には、ＲＯＭ２１の光源色領域位置移動情報テーブルは、撮影レンズのズーム位置毎、かつ被写界を照明する光源の種類毎に、移動量を格納するようにするとよい。
【００７０】
以下、第３実施形態の効果を説明する。
【００７１】
第３実施形態の電子カメラによれば、電子カメラのＷＢモードが「オートＷＢモード」である場合に、被写界を照明する光源の種類を判定するための基準となる光源色領域の位置が、撮影レンズのズーム位置に応じた移動量を用いて移動させられる。このため、撮影レンズのズーム位置によって撮像素子の受光成分（ＲＧＢ）のバランスが変化しても光源の種類の判定が正しく行える。従って、撮影レンズのズーム位置および被写界を照明する光源の種類に依らない高精度なホワイトバランス制御が可能となる。
【００７２】
また、第３実施形態の電子カメラによれば、電子カメラのＷＢモードが「オートＷＢモード」である場合に、被写界を照明する光源の種類を判定するための基準となる光源色領域の位置が、撮影レンズのズーム位置に応じた光源色領域毎の個別の移動量を用いて移動させられる。このため、撮影レンズのズーム位置と光源の種類によって撮像素子の受光成分（ＲＧＢ）のバランスが変化しても光源の種類の判定が正しく行える。従って、撮影レンズのズーム位置および被写界を照明する光源の種類に依らない高精度なホワイトバランス制御が可能となる。
【００７３】
（その他）
なお、第３実施形態での処理を第２実施形態での光源判定に適用してもよい。
【００７４】
また、上記ステップＳ１０１〜ステップＳ１０６の処理プログラムは、その一部または全部をコンピュータや、プリンタ、画像ストレージャなどに実行させてもよい。
【図面の簡単な説明】
【００７５】
【図１】第１〜第３実施形態の電子カメラのブロック図である。
【図２】第１実施形態の電子カメラにおけるホワイトバランス制御値の算出の動作を示す流れ図である。
【図３】ＷＢ補正情報テーブルの図である。
【図４】第２実施形態の電子カメラにおけるホワイトバランス制御値の算出の動作を示す流れ図である。
【図５】ＡＷＢ補正情報テーブルの図である。
【図６】第３実施形態の電子カメラにおけるホワイトバランス制御値の算出の動作を示す流れ図である。
【図７】光源色領域位置移動情報テーブルおよび光源色領域の位置移動のイメージの図である。
【符号の説明】
【００７６】
１１…撮影レンズ，１２…レンズ駆動部，１３…撮像素子，１４…アナログ信号処理部，１５…タイミングジェネレータ（ＴＧ），１６…バッファメモリ，１７…画像処理部，１８…モニタ，１９…制御部，２０…操作部，２１…ＲＯＭ，２２…記録媒体，２３…バス
【図１】
2008258902.tif 000003
【図２】
2008258902.tif 000004
【図３】
2008258902.tif 000005
【図４】
2008258902.tif 000006
【図５】
2008258902.tif 000007
【図６】
2008258902.tif 000008
【図７】
2008258902.tif 000009